(57)【要約】【課題】  工作機械における、工具の交換時に、工具と工具保持部との当接面に異物を挟み込むことを防止するとともに、異物を挟み込んだ場合に、挟み込んだ異物を除去、検出できる工作機械を提供すること。【解決手段】  工具１と、工具１と嵌合する工具保持孔１５が形成された工具保持部２と、を備え、工具保持部２に対して工具１の脱着による交換が可能な工作機械５０において、工具１と工具保持孔１５とが当接する第１の当接面に向けて、工具保持部２を貫通するようにして設けられた少なくとも一つの第１の流体供給路５と、工具１を工具保持孔１５から取り外す時、及び、工具１を工具保持孔１５へ装着する時に、第１の流体供給路５を介して、第１の当接面に向けて流体２５を供給する流体供給手段２２とを備える。【選択図】        図１
2006334676.tif 000002
【特許請求の範囲】
【請求項１】
工具と、
前記工具と嵌合する工具保持孔が形成された工具保持部と、を備え、
前記工具保持部に対して前記工具の脱着による交換が可能な工作機械において、
前記工具と前記工具保持孔とが当接する第１の当接面に向けて、前記工具保持部を貫通するようにして設けられた少なくとも一つの第１の流体供給路と、
前記工具を前記工具保持孔から取り外す時、及び、前記工具を前記工具保持孔へ装着する時に、前記第１の流体供給路を介して、前記第１の当接面に向けて流体を供給する流体供給手段とを備えることを特徴とする工作機械。
【請求項２】
前記流体供給手段は、前記流体に所定の流体圧力を与えて供給する供給ポンプを有し、当該流体供給手段は、前記工具を前記工具保持部孔に勘合した後にも前記供給ポンプを用いて、所定の流体圧力を供給するものであり、
前記供給ポンプにより前記第１の流体供給路を介して供給された前記流体の前記流体圧力を測定する圧力センサと、
前記圧力センサにより測定された前記流体圧力に基づいて、前記第１の当接面における異物の挟み込みを判定する判定手段とを備えることを特徴とする請求項１に記載の工作機械。
【請求項３】
前記工具には、前記工具を前記工具保持孔に装着した時に、前記工具保持孔の周囲において前記工具保持部の端面と当接するフランジ部が形成され、
前記工具保持部の端面と前記フランジ部との第２の当接面に向けて、前記工具保持部を貫通するようにして設けられた少なくとも一つの第２の流体供給路を、さらに備え、
前記流体供給手段は、前記工具を前記工具保持孔から取り外す時、及び、前記工具を前記工具保持孔へ装着する時に、前記第２の流体供給路を介して、前記第２の当接面に向けて流体を供給することを特徴とする請求項１に記載の工作機械。
【請求項４】
前記流体供給手段は、前記流体に所定の流体圧力を与えて供給する供給ポンプを有し、当該流体供給手段は、前記工具を前記工具保持部孔に勘合した後にも前記供給ポンプを用いて、所定の流体圧力を供給するものであり、
前記供給ポンプにより前記第１及び第２の流体供給路を介して供給された前記流体の前記流体圧力を測定する圧力センサと、
前記圧力センサにより測定された前記流体圧力に基づいて、前記第１及び第２の当接面の少なくとも一方における異物の挟み込みを判定する判定手段と
を備えることを特徴とする請求項３に記載の工作機械。
【請求項５】
工作機械の工具を、工具保持部に形成された工具保持孔から取り外す時、及び、前記工具保持孔へ装着する時に、前記工具と前記工具保持部に付着した異物を除去する工作機械の異物除去方法であって、
前記工具保持部を貫通し、前記工具と前記工具保持孔とが当接する第１の当接面に向かうように設けられた少なくとも一つの第１の流体供給路を介して、流体を前記第１の当接面に供給する工程を有し、
前記流体によって、前記工具と前記工具保持孔とを洗浄し、前記工具と前記工具保持孔とに付着した異物を除去することを特徴とする異物除去方法。
【請求項６】
前記工具保持部を貫通し、前記工具に形成されたフランジ部と前記工具保持部の端面とが当接する第２の当接面に向かうように設けられた少なくとも一つの第２の流体供給路を介して、流体を前記第２の当接面に供給する工程をさらに備え、
前記流体によって、前記フランジ部と前記工具保持部の端面とを洗浄し、前記フランジ部と前記工具保持部の端面とに付着した異物を除去することを特徴とする請求項５に記載の異物除去方法。
【請求項７】
工具保持部に形成された工具保持孔への工具の装着が完了した時に、前記工具と前記工具保持部とが当接する当接面に挟み込んだ異物を検出する工作機械の異物検出方法であって、
前記工具保持部を貫通し、前記工具と前記工具保持孔とが当接する第１の当接面に向かうように設けられた少なくとも一つの第１の流体供給路を介して、供給ポンプによる所定の流体圧力が与えられた流体を前記第１の当接面に向けて供給する工程と、
前記流体圧力を測定する工程と、
測定された前記流体圧力に基づいて、前記第１の当接面に挟み込んだ異物を検出する工程とからなることを特徴とする異物検出方法。
【請求項８】
前記工具保持部を貫通し、前記工具に形成されたフランジ部と前記工具保持部の端面とが当接する第２の当接面に向かうように設けられた少なくとも一つの第２の流体供給路を介して、前記供給ポンプによる所定の流体圧力が与えられた流体を前記第２の当接面に向けて供給する工程と、
前記流体圧力を測定する工程と、
測定された前記流体圧力に基づいて、前記第２の当接面に挟み込んだ異物を検出する工程とをさらに備えることを特徴とする請求項７記載の異物検出方法。
【発明の詳細な説明】
【技術分野】
【０００１】
本発明は、切削加工等に用いられる工作機械における、ワークを切削する工具とこの工具を保持する工具保持部との当接面に、異物を挟み込むことを防止する機能を備えた工作機械、その異物を除去する方法、及び、その異物を検出する方法に関するものである。
【背景技術】
【０００２】
ワークの加工に用いる工具を、工具保持部に対して脱着可能として、工具を交換することが可能な工作機械が知られている。このような工作機械では、予め用意された多種類の工具の中から、必要な工具を選択し、ワークの加工が行われる。この時、加工精度を良好に維持、あるいは、向上させるために、工具を工具保持部に対して正確に装着することが必要である。そのためには、工具を交換する時に、工具と工具保持部との当接面に異物を挟み込まないことが重要である。
【０００３】
ところが、工具や工具保持部は、ワークを加工する近傍に配置されているため、ワークの加工に伴って発生した切削屑や切粉等の異物が工具や工具保持部に付着し、工具を工具保持部に装着する時に、工具と工具保持孔との当接面に異物を挟み込んでしまうことがある。そこで、工具と工具保持孔との当接面に異物を挟み込んでしまった場合に、それを検出する機能を備えた工作機械が提案されている。
【０００４】
例えば、特許文献１に開示された発明では、リニアスケールを工具保持部の近傍に設置して、工具の挿入前端部である引き込み端の位置を当該リニアスケールにより測定する。この時、工具と工具保持孔との当接面に異物を挟み込んでいた場合には、引き込み端が所定の位置まで引き込まれないことを利用して、異物を検出する。
【０００５】
また、特許文献２に開示された発明では、ギャップセンサを工具のワーク側（挿入後端側）の近傍に設置して、工具が回転する際の回転軸のずれを当該ギャップセンサにより測定する。この際、工具と工具保持孔との当接面に異物を挟み込んでいた場合には、工具及び工具保持部の回転軸が所定の位置からずれることを利用して、異物を検出する。
【特許文献１】特開平５−３０９５４８号公報
【特許文献２】特開２０００−５９０７号公報
【発明の開示】
【発明が解決しようとする課題】
【０００６】
上述した、特許文献１で開示された、リニアスケールを備えた工作機械において、図４（ａ）に示すように、リニアスケール６は工具１の挿入前端部（引き込み端）１２の近傍に設置される。しかしながら、工具１の挿入前端部１２の近傍には、工具保持部２を回転させるためのモータ（図示せず）や、工具１を工具保持孔１５に引っ張り込むために、プルスタッド４やコイルバネ（図示せず）等の周辺機器が配置されている。このため、リニアスケール６を工具１の挿入前端部１２の近傍に設置することはスペースの都合上、それが難しいことがある。
【０００７】
このような状況において、リニアスケール６は、工具１の挿入前端部１２から離れた場所に設置されることになるが、リニアスケール６を挿入前端部１２から離れた場所に設置すると、工具１と工具保持孔１５との第１の当接面に異物３０を挟み込んでも、その検出が正確に行われないことがあった。
【０００８】
すなわち、リニアスケール６の感度を繊細にすると、リニアスケール６は図示しないモータやコイルバネ、プルスタッド４等の周辺機器の発熱に伴う工具１や工具保持部２の熱膨張を検出してしまい、工具１と工具保持孔１５との第１の当接面に異物３０を挟み込んでいないにも関わらず、異物を検出したと誤作動することがある。これに対し、リニアスケール６の感度を鈍感にすると、工具１や工具保持部２の熱膨張に起因する誤作動は避けることができるが、工具１と工具保持孔１５との第１の当接面に侵入した微小な異物３０を検出することができなくなってしまう。
【０００９】
また、特許文献２で開示された、ギャップセンサを備えた工作機械において、図４（ｂ）に示すように、ギャップセンサ７は、工具１の挿入後端部１４、ゲージライン８の近傍に設置される。しかしながら、ギャップセンサ７を工具１の挿入後端部１４やゲージライン８の近傍に設置すると、ワークの加工に伴って発生する切粉や屑等が、時間の経過と共に増加して、ギャップセンサ７を覆ってしまう。すると、ギャップセンサ７の異物を検出する精度が低下してしまうことがある。
【００１０】
そこで、本発明は以上のような課題に鑑みてなされたものであり、その目的とするところは、切削加工等に用いられる工作機械における、工具とこの工具を保持する工具保持部との当接面に、異物を挟み込むことを防止する機能を備えた工作機械を提供することにある。さらに、この当接面の異物を除去する方法、及び、異物を挟み込んだ場合には、その異物を検出する方法を提供することにある。
【課題を解決するための手段】
【００１１】
上記課題を解決するために、請求項１に係る工作機械は、工具と、工具と嵌合する工具保持孔が形成された工具保持部と、を備え、工具保持部に対して工具の脱着による交換が可能な工作機械において、工具と工具保持孔とが当接する第１の当接面に向けて、工具保持部を貫通するようにして設けられた少なくとも一つの第１の流体供給路と、工具を工具保持孔から取り外す時、及び、工具を工具保持孔へ装着する時に、第１の流体供給路を介して、第１の当接面に向けて流体を供給する流体供給手段とを備えることを特徴とする。
【００１２】
これにより、第１の当接面に向けて工具保持部を貫通するように第１の流体供給路を設けたので、工作機械の周辺部分に配置される配管を減らすことができる。そして、それに伴って、少ないスペースに工作機械を設置することができる。また、工具保持部に対して工具を脱着する時に、流体供給手段により第１の流体供給路を介して第１の当接面に向けて流体を供給することができるので、工具や工具保持孔に付着した異物を除去することができる。これにより、工具を工具保持孔へ装着する時に、第１の当接面に異物を挟み込むことを防止できる。
【００１３】
請求項２に係る工作機械は、流体供給手段は、流体に所定の流体圧力を与えて供給する供給ポンプを有し、当該流体供給手段は、工具を工具保持部孔に勘合した後にも供給ポンプを用いて、所定の流体圧力を供給するものであり、供給ポンプにより第１の流体供給路を介して供給された流体の流体圧力を測定する圧力センサと、圧力センサにより測定された流体圧力に基づいて、第１の当接面における異物の挟み込みを判定する判定手段とを備えることを特徴とする。
【００１４】
このように、工具を工具保持孔に装着する時に、供給ポンプにより所定の流体圧力を与えられた流体が、第１の当接面に向けて設けられた第１の流体供給路を介して第１の当接面に供給される。
【００１５】
ここで、異物が工具と工具保持孔との当接面に挟み込まれた場合、工具と工具保持孔との間に隙間が生じる。このため、供給ポンプによって供給された流体は、その隙間から漏れて、流体の圧力が低下する。このようにして、圧力センサにより測定された流体圧力に基づいて、判定手段が、第１の当接面への異物の挟み込みを判定するので、工作機械を稼動させる前に、挟み込んだ異物を検出することができる。したがって、第１の当接面に異物を挟み込んだまま、工作機械を稼動させることを防ぐことができる。
【００１６】
請求項３に係る工作機械は、工具には、工具を前記工具保持孔に装着した時に、工具保持孔の周囲において工具保持部の端面と当接するフランジ部が形成され、工具保持部の端面と前記フランジ部との第２の当接面に向けて、工具保持部を貫通するようにして設けられた少なくとも一つの第２の流体供給路を、さらに備え、流体供給手段は、工具を工具保持孔から取り外す時、及び、工具を工具保持孔へ装着する時に、第２の流体供給路を介して、第２の当接面に向けて流体を供給することを特徴とする。
【００１７】
これにより、工具保持部に対して工具を脱着する時に、流体供給手段により第２の流体供給路を介して第２の当接面に向けても流体を供給することができるので、工具保持部の端面や工具のフランジ部に付着した異物を除去することができる。これにより、工具を、工具保持孔に装着する時に、第２の当接面に異物を挟み込むことを防止できる。
【００１８】
請求項４に係る工作機械は、流体供給手段は、流体に所定の流体圧力を与えて供給する供給ポンプを有し、当該流体供給手段は、工具を工具保持部孔に勘合した後にも供給ポンプを用いて、所定の流体圧力を供給するものであり、供給ポンプにより第１及び第２の流体供給路を介して供給された流体の流体圧力を測定する圧力センサと、圧力センサにより測定された流体圧力に基づいて、第１及び第２の当接面の少なくとも一方における異物の挟み込みを判定する判定手段とを備えることを特徴とする。
【００１９】
このように、工具を工具保持孔に装着する時に、供給ポンプにより所定の流体圧力を与えられた流体が、第１及び第２の当接面に向けて設けられた第１及び第２の流体供給路を介して第１及び第２の当接面に供給される。したがって、上述したのと同様の理由から、圧力センサにより測定された流体圧力に基づいて、判定手段が、第１及び第２の当接面の少なくともいずれかへの異物の挟み込みを判定でき、工作機械を稼動させる前に、挟み込んだ異物を検出することができる。したがって、第１及び第２の当接面の少なくともいずれかに異物を挟み込んだまま、工作機械を稼動させることを防ぐことができる。
【００２０】
請求項５に係る異物除去方法は、工作機械の工具を、工具保持部に形成された工具保持孔から取り外す時、及び、工具保持孔へ装着する時に、工具と工具保持部に付着した異物を除去する工作機械の異物除去方法であって、工具保持部を貫通し、工具と工具保持孔とが当接する第１の当接面に向かうように設けられた少なくとも一つの第１の流体供給路を介して、流体を前記第１の当接面に供給する工程を有し、流体によって、工具と工具保持孔とを洗浄し、工具と工具保持孔とに付着した異物を除去することを特徴とする。
【００２１】
この異物除去方法により、工具を工具保持孔に装着した時に、第１の当接面に異物を挟み込むことを防止できる。
【００２２】
請求項６に係る異物除去方法は、工具保持部を貫通し、工具に形成されたフランジ部と工具保持部の端面とが当接する第２の当接面に向かうように設けられた少なくとも一つの第２の流体供給路を介して、流体を前記第２の当接面に供給する工程をさらに備え、流体によって、フランジ部と工具保持部の端面とを洗浄し、フランジ部と工具保持部の端面とに付着した異物を除去することを特徴とする。
【００２３】
この異物除去方法により、工具を工具保持孔に装着した時に、第２の当接面に異物を挟み込むことを防止できる。
【００２４】
請求項７に係る異物検出方法は、工具保持部に形成された工具保持孔への工具の装着が完了した時に、工具と工具保持部とが当接する当接面に挟み込んだ異物を検出する工作機械の異物検出方法であって、工具保持部を貫通し、工具と工具保持孔とが当接する第１の当接面に向かうように設けられた少なくとも一つの第１の流体供給路を介して、供給ポンプによる所定の流体圧力が与えられた流体を第１の当接面に向けて供給する工程と、流体圧力を測定する工程と、測定された流体圧力に基づいて、第１の当接面に挟み込んだ異物を検出する工程とからなることを特徴とする。
【００２５】
この異物検出方法により、工具を工具保持孔に装着した時に、第１の当接面に異物を挟み込んでいても、その異物を検出することができる。そして、異物を挟み込んだまま、工作機械を稼動させることを防ぐことができる。
【００２６】
請求項８に係る異物検出方法は、工具保持部を貫通し、工具に形成されたフランジ部と工具保持部の端面とが当接する第２の当接面に向かうように設けられた少なくとも一つの第２の流体供給路を介して、供給ポンプによる所定の流体圧力が与えられた流体を第２の当接面に向けて供給する工程と、流体圧力を測定する工程と、測定された流体圧力に基づいて、判定手段による前記第２の当接面に挟み込んだ異物を検出する工程とをさらに備えることを特徴とする。
【００２７】
この異物検出方法により、工具を工具保持孔に装着した時に、第２の当接面に異物を挟み込んでいても、その異物を検出することができる。そして、異物を挟み込んだまま、工作機械を稼動させることを防ぐことができる。
【発明を実施するための最良の形態】
【００２８】
以下、本発明の好適な実施の形態について図面を用いて詳細に説明する。
【００２９】
（第１の実施形態）
本発明の第１の実施形態における工作機械５０について、図１を用いて説明する。工具１は、工具保持部２の工具保持孔１５に挿入される挿入部１６を有し、後述するプルスタッド４が挿入部１６の前端部１２に連係している。挿入部１６の後端部１４には、工具保持孔１５の開口周囲の表面に当接するフランジ部１ｂが設けられている。このフランジ部１ｂには、ワーク（図示せず）を加工するための刃具９が装着されている。工具１の挿入部１６は、テーパー面１ａを有し、工具保持孔１５は挿入部１６のテーパー面１ａに対応する形状に形成されている。
【００３０】
工具１は、工具保持部２からの脱着が自在であり、交換が可能である。工具１の挿入部１６を、挿入前端部１２から工具保持孔１５に挿入して、工具保持部２に装着すると、工具１のテーパー面１ａと工具保持孔１５とが当接する第１の当接面において、工具１は工具保持孔１５で保持されている。また、工具１のフランジ部１ｂと工具保持部２の端面１３とが当接する第２の当接面において、工具１は保持されている。ただし、このフランジ部１ｂは、省略可能であり、本実施形態における工作機械５０において、工具１は、いわゆる、１面拘束型の形状である。
【００３１】
ここで、工具１を工具保持孔１５に装着するときに、引張手段１０（例えば、油圧式シリンダ）により、工具１の挿入前端部１２に連係したプルスタッド４を介して、工具１を工具保持孔１５に引っ張り込む方向に、数百キログラム以上の引張圧力を加えている。したがって、工具１は工具保持部２に対して強固に保持されているので、工作機械５０の稼動時（高速回転時）に、工具１が工具保持孔１５内でがたつくことを低減している。なお、工作機械５０は、工具保持部２に保持された工具１を回転させるためのモータ等を含む駆動機構（図示せず）を備えている。
【００３２】
第１の流体供給路５は、その一部が工具保持部２を貫通するように、少なくとも一つが設けらてれいる。この第１の流体供給路５の一端は、工具１のテーパー面１ａと工具保持孔１５とが当接する第１の当接面に向けて、流体２５を供給できるように配設されている。また、この第１の流体供給路５の他端には、吸入口２４が設けられ、流体２５が貯蔵された流体タンク２０に向けて配設されている。ここで、流体タンク２０に貯蔵された流体２５は、供給ポンプ２２により吸入口２４より吸入され、吸入された流体２５は、フィルタ２１でろ過されて異物が除去される。そして、ろ過された流体２５は、第１の流体供給路５を介して、第１の当接面に向けて供給される。
【００３３】
ところで、工具１を挿入前端部１２より工具保持孔１５に挿入し、装着する時に、第１の当接面に、ワークの加工に伴って発生した切削屑や切粉等の異物３０を挟み込んでしまうことがある。異物３０を挟み込んだまま、工具１に対して、上述したような引張圧力を加えても、工具１を工具保持孔１５に正確に装着することができないことがある。そして、この正確に装着されていない状態のまま、工作機械５０を稼動させ、工具１と工具保持部２とが高速回転すると、工具１と工具保持部２とは、本来の回転軸３から振れて回転してしまうことがあり、その結果、ワークの加工精度に影響を及ぼすことになる。
【００３４】
また、上述したように、工具１を工具保持孔１５に装着する時には、工具１に対して、引張手段１０により、工具１の挿入前端部１２に連係したプルスタッド４を介して、挿入前端部１２を工具保持孔１５に引っ張り込む方向に、数百キログラム以上の引張圧力を加えている。このため、第１の当接面に異物３０を挟み込んでいると、工具１にキズや歪みが発生するおそれがある。すると、工具１の形状バランスや重量バランスが崩れ、刃具９や刃具９を装着した工具１が本来の回転軸３から振れて回転してしまうことがあり、その結果、やはり、ワークの加工精度に影響を及ぼすことになる。
【００３５】
そこで、本実施形態における工作機械５０は、工具１の脱着時における、工具１を工具保持孔１５から取り出す時から取り出しが完了するまでの所定時間（例えば、数秒間）、及び、工具１を工具保持孔１５へ装着する時から装着が完了するまでの所定時間（例えば、数秒間）、第１の流体供給路５を介して、第１の当接面に向けて流体２５を供給するものである。このように流体２５を供給することで、工具１を工具保持孔１５に装着する時に、工具１のテーパー面１ａや工具保持孔１５に異物３０が付着していたとしても、流体２５が、工具１のテーパー面１ａや工具保持孔１５を洗浄し、異物３０を除去する。このため、工具１を工具保持孔１５に装着する時に、第１の当接面に異物３０を挟み込むことを防止することができる。
【００３６】
なお、図１では第１の流体供給路５が、１つ配設された例を示しているが、第１の流体供給路を複数配置したり、あるいは、第１の流体供給路を分枝して、流体を供給するための供給口を増やしてもよい。こうすることで、流体２５を第１の流体供給路５を介して第１の当接面に向けて満遍なく行き渡らせることができる。
【００３７】
以上、説明したように、本実施形態における工作機械５０によれば、工具１を工具保持孔１５へ装着する時に、異物３０を挟み込むことなく、工具１を工具保持孔１５に正確に装着することができる。
【００３８】
（第２の実施形態）
次に、本発明の第２の実施形態における工作機械５１について、図２を用いて説明する。なお、第１の実施形態と同一の構成要素には同一の参照番号を付して、説明を一部省略する。
【００３９】
第１の実施形態における工作機械５０においては、工具１はテーパー面１ａ有し、このテーパー面１ａと工具保持孔１５とが、第１の当接面で当接することで、工具１が工具保持孔１５に保持されている。そして、第１の流体供給路５は、その一部が工具保持部２を貫通するように、少なくとも一つが設けられ、第１の流体供給路５の一端は、第１の当接面に向けて配設されている。
【００４０】
本実施形態における工作機械５１においては、工具１１を工具保持孔１５に装着した時に、工具１１が工具保持部２の端面（工具保持部端面）１３と当接するフランジ部１１ｂをさらに有する形状、いわゆる、２面拘束型の形状を採用したものである。つまり、工具１１を挿入前端部１２から工具保持孔１５に挿入し、工具保持部２に装着すると、工具１１のテーパー面１１ａと工具保持孔１５とが、第１の当接面で当接するだけでなく、工具１１のフランジ部１１ｂと工具保持部端面１３とが当接して、工具１１が工具保持部２に対して、さらに強固に保持されるようになっている。なお、２面拘束型の形状を成す工具１１においても、引張手段１０（例えば、油圧式シリンダ）により、工具１１の挿入前端部１２に連係したプルスタッド４を介して、工具１１を工具保持孔１５に引っ張り込む方向に、数百キログラム以上の引張圧力を加えている。
【００４１】
本実施形態における工作機械５１においては、第１の当接面に向けて流体２５を供給する第１の流体供給路５に加えて、工具１１のフランジ部１１ｂと工具保持部端面１３とが当接する第２の当接面に向けて流体２５を供給する、少なくとも一つの第２の流体供給路５ａをさらに配設した。第２の流体供給路５ａは、第１の流体供給路５から分枝するように配設してもよく、又は、第１の流体供給路５とは独立して配設してもよい（図２は、第１の流体供給路５から分枝するように第２の流体供給路５ａを設けた状態を示す）。
【００４２】
第２の流体供給路５ａを第１の流体供給路５から分枝するように配設した場合、第２の流体供給路５ａの一端は、第２の当接面に向けて流体２５を供給できるように配設され、第２の流体供給路５ａの他端は、第１の流体供給路５と接続している。一方、第２の流体供給路５ａを独立するように設けた場合、第２の流体供給路５ａの一端は、第２の当接面に向けて流体２５を供給できるように配設され、第２の流体供給路５ａの他端には、吸入口２４が設けられ、外部に設置された流体タンク２０に向けて配設されている。なお、いずれの場合においても、第２の流体供給路５ａは、第１の流体供給路５と同様に、工具保持部２を貫通するように設けられている。
【００４３】
ところで、２面拘束型の工具１１を工具保持部２に装着する時には、工具１１のテーパー面１１ａと工具保持孔１５とが当接する第１の当接面に異物３０を挟みこむことを防止するだけではなく、同時に、工具１１のフランジ部１１ｂと工具保持部端面１３とが当接する第２の当接面に異物３１を挟み込むことを防止することも必要である。
【００４４】
そこで、本実施形態の工作機械５１は、工具１１の脱着時における、工具１１を工具保持孔１５から取り出す時から取り出しが完了するまでの所定時間（例えば、数秒間）、及び、工具１１を工具保持孔１５へ装着する時から装着が完了するまでの所定時間（例えば、数秒間）、第１、第２の流体供給路５、５ａを介して、第１、第２の当接面に向けて流体２５を供給するものである。このように流体２５を供給することで、工具１１を工具保持孔１５へ装着する時に、工具１１のテーパー面１１ａや工具保持孔１５、あるいは、工具１１のフランジ部１１ｂや工具保持部の端面１３に異物３０、３１が付着していたとしても、供給ポンプ２２により供給される流体２５が、工具１１のテーパー面１１ａや工具保持孔１５、及び、工具１１のフランジ部１１ｂや工具保持部の端面１３を洗浄して、異物３０、３１を除去する。このため、工具１１を工具保持孔１５に装着する時に、第１、第２の当接面に異物３０、３１を挟み込むことを防止することができる。
【００４５】
なお、図２では第１及び第２の流体供給路５、５ａがそれぞれ１つずつ配設された例を示しているが、第１及び第２の流体供給路５、５ａを分枝して、流体を供給するための供給口を増やしてもよい。こうすることで、流体２５を第１、第２の当接面に向けて満遍なく行き渡らせることができる。
【００４６】
以上、説明したように、本実施形態における工作機械５１によれば、工具１１を工具保持名１５に装着する時に、異物３０、３１を挟み込むことなく、２面拘束型の工具１１を工具保持孔１５に正確に装着することができる。
【００４７】
（第３の実施形態）
次に、本発明の第３における実施形態における工作機械５２について、図３を用いて説明する。なお、第１または第２の実施形態と同一の構成要素には同一の参照番号を付して、説明を一部省略する。
【００４８】
本実施形態における工作機械５２は、第２の実施形態で説明した工作機械５１に、供給ポンプ２２によって供給される流体２５の流体圧力を測定する圧力センサ２３と、圧力センサ２３によって、測定された流体圧力に基づいて異物３０、３１の挟み込みを判定する判定回路２６と、をさらに備えたものである。
【００４９】
本実施形態における工作機械５２では、工具１１の脱着時における、工具１１を工具保持孔１５から工具１１の脱着時における、工具１１を工具保持孔１５から取り出す時から取り出しが完了するまでの所定時間（例えば、数秒間）、及び、工具１１を工具保持孔１５へ装着する時から装着が完了するまでの所定時間（例えば、数秒間）、第１、第２の流体供給路５、５ａを介して、第１、第２の当接面に向けて、所定の流体圧力が与えられた流体２５を供給するものである。このように流体２５を供給することで、工具１１を工具保持孔１５へ装着する時に、工具１１のテーパー面１１ａや工具保持孔１５、あるいは、工具１１のフランジ部１１ｂや工具保持部の端面１３に異物３０、３１が付着していたとしても、供給ポンプ２２により供給される流体２５が、工具１１のテーパー面１１ａや工具保持孔１５、及び、工具１１のフランジ部１１ｂや工具保持部の端面１３を洗浄して、異物３０、３１を除去する。このため、工具１１を工具保持孔１５に装着する時に、第１、第２の当接面に異物３０、３１を挟み込むことを防止することができる。
【００５０】
しかしながら、異物３０、３１が、粘着性を有していたり、また、磁性を帯びたりしていたりすると、異物３０、３１は工具１１や工具保持部２に対する付着力が強く、供給ポンプ２２により供給される流体２５で異物３０、３１を完全に除去することができないことがある。すると、第１、第２の当接面に異物３０、３１を挟み込んだ状態で、工具１１を工具保持孔１５に装着してしまうことがある。このような状況で工作機械５２を稼動させると、工具１１、工具保持部２は、本来の回転軸３から振れるように回転してしまい、その結果、ワークの加工精度に影響を及ぼすことになる。そこで、このようなことを防ぐために、工作機械を稼動させる前にこの異物３０、３１を検出して、除去することが必要である。
【００５１】
そのために、本実施形態における工作機械５２は、工具１１が工具保持孔１５に装着が完了した後にも供給ポンプ２２により流体２５を供給して、当該流体２５の圧力が所定圧力となるようにする。具体的には、圧力センサ２３により測定される流体圧力が所定圧力となるまで、供給ポンプ２２による流体２５の供給を継続する。その後、圧力センサ２３によって測定された流体圧力に基づいて異物３０、３１の挟み込みを、判定回路２６によって判定する。
【００５２】
例えば、第１、第２の当接面に異物３０、３１を挟み込まずに、工具１１が工具保持孔１５に装着が完了していると、流体２５の流体圧力は、供給ポンプ２２により与えられた所定の流体圧力にほぼ維持される。圧力センサ２３が供給ポンプ２２の停止後に個の所定圧力を測定した場合には、判定回路２６は、第１、第２の当接面のいずれにも異物３０、３１を挟み込んでいないと判定する。
【００５３】
これに対し、第１、第２の当接面の少なくともどちらかに異物３０、３１を挟み込んだ状態で、工具１１が工具保持孔１５に装着が完了すると、流体２５の流体圧力は、供給ポンプ２２により与えられた所定の流体圧力から低下していく。このような流体圧力の低下が、圧力センサ２３により測定されると、判定回路２６は、第１、第２の当接面の少なくともどちらかに異物３０、３１を挟み込んでいると判定する。
【００５４】
これは、異物３０、３１が、第１、第２の当接面に僅かな隙間を形成するので、供給ポンプ２２により所定の流体圧力を与えられた流体２５が、この空洞から徐々に漏れるからである。
【００５５】
そして、判定回路２６が、第１、第２の当接面のいずれにも異物３０、３１を挟み込んでいないと判定した場合、工作機械５２をそのまま稼動させればよい。一方、判定回路２６が、第１、第２の当接面の少なくともいずれかに異物３０、３１を挟み込んでいると判定した場合、上述した工具１１の脱着時における手順を繰り返し行って、異物３０、３１の除去を行えばよい。
【００５６】
以上、説明したように、本実施形態における工作機械５２によれば、工具１１を工具保持部２に装着する時に、第１、第２の当接面に異物を挟み込むことを防止することができる。さらに、第１、第２の当接面の少なくともいずれかに異物３０、３１を挟み込んだ場合においても、異物３０、３１を検出することができるので、異物３０、３１を挟み込んだまま工作機械を稼動させることを防ぐことができる。
【００５７】
以上、本発明を実施するための最良の形態について説明したが、本発明は上述した実施形態のみに限定されるものではなく、本発明の趣旨を逸脱しない範囲において、数々の変形実施が可能である。また、本発明のうち従属請求項に係る発明においては、従属先の請求項の構成要件の一部を省略する構成とすることもできる。
【図面の簡単な説明】
【００５８】
【図１】本発明の第１の実施形態に係る工作機械の断面図。
【図２】本発明の第２の実施形態に係る工作機械の断面図。
【図３】本発明の第３の実施形態に係る工作機械の断面図。
【図４】従来の工作機械における異物を検出する手段を設置した図であり、（ａ）はリニアスケールを設置した図、（ｂ）はギャップセンサを設置した図。
【符号の説明】
【００５９】
１，１１・・・工具、  １ａ，１１ａ・・・テーパー面、  １ｂ，１１ｂ・・・フランジ部、  ２・・・工具保持部、  ３・・・回転軸、  ４・・・プルスタッド、  ５・・・第１の流体供給路、  ５ａ・・・第２の流体供給路、  ６・・・リニアスケール、  ７・・・ギャップセンサ、  ８・・・ゲージライン、  ９・・・刃具、  １０・・・引張手段、  １２・・・挿入前端部、  １３・・・工具保持部端面、  １４・・・挿入後端部、  １５・・・工具保持孔、  １６・・・挿入部、  ２０・・・流体タンク、  ２１・・・フィルタ、  ２２・・・供給ポンプ、  ２３・・・センサ、  ２５・・・流体、  ２６・・・比較検出手段、  ３０，３１・・・異物、  ５０，５１，５２・・・工作機械
【図１】
2006334676.tif 000003
【図２】
2006334676.tif 000004
【図３】
2006334676.tif 000005
【図４】
2006334676.tif 000006